(57)【要約】【課題】所要部品点数が少なく、組み立ても容易で、製造コストを軽減できるとともに、据付場所の状況に応じてＬＥＤ素子の照射方向を設定でき、その照射方向が振動等により無用に変わってしまうおそれがなく、かつまた放熱性もよいＬＥＤ照明灯を提供する。【解決手段】アルミニウムを押出成形することにより成形された一定長の等断面の本体１０と、ＬＥＤ素子４２が実装された配線基板４１と、透光性カバー体５０と、端部蓋体６０とを備え、本体１０の前面に設けられた基板収容部１８の相対する壁内面に該本体の長手方向に延びた取付溝１９，２１，２２を形成し、かつその少なくとも片側の壁内面には取付溝を複数条形成し、配線基板４１を取付溝２１，２２のうちのいずれかに入れてスライドさせ装着することで該配線基板の向きを変更し得るようにする。【選択図】図４
2011023310.tif 000002
【特許請求の範囲】
【請求項１】
アルミニウムを押出成形することにより成形された一定長の等断面の本体と、ＬＥＤ素子が実装された配線基板と、透光性の合成樹脂により成形された前記本体と同じ長さの透光性カバー体と、端部蓋体とを備え、前記本体の前面に設けられた基板収容部の相対する壁内面に該本体の長手方向に延びた取付溝をそれぞれ形成し、かつその少なくとも片側の壁内面にはその取付溝を複数条形成し、前記配線基板を該複数条の取付溝のうちのいずれかに入れてスライドさせ装着することで該配線基板の向きを変更し得るようにすると共に、該本体の両側縁部に前記透光性カバー体の両側縁を止着して該透光性カバー体により該本体の前面を覆い、該本体および該透光性カバー体の両端部に前記端部蓋体を被着してなることを特徴とするＬＥＤ照明灯。
【発明の詳細な説明】
【技術分野】
【０００１】
本発明は、光源として多数個のＬＥＤ（発光ダイオード）素子を使用したＬＥＤ照明灯に関し、さらに詳しくはその照射方向を調整可能にすると共に組立を容易にした構造に関するものである。
【背景技術】
【０００２】
一般にＬＥＤ素子は、消費電力が少なく寿命も長いことから、蛍光灯に代わって街路灯として使用することのメリットは大きいと云えるが、街路灯としての明るさを得るためには多数個のＬＥＤ素子を設ける必要があり、そのために従来では、図６に示したように、取付基板ａを適宜角度の折板状に形成し、複数個のＬＥＤ素子ｂが実装された配線基板ｃを該取付基板ａの前面にスペーサｄを介してビスｅにより固着する構造が採られていた。
【０００３】
また、下記特許文献１は、複数個のＬＥＤ素子を可撓性の基板に所定間隔で取付けることにより、該ＬＥＤ素子を任意の形状に配置できるようにした照明装置を開示するものである。
また、下記特許文献２は、ＬＥＤ素子が取り付けられた取付板の両側縁にジョイント部が一体に形成され、複数枚の取付板の隣り合うものどうしを該ジョイント部によって屈折可能に連結することにより、所期の屈折状態にして該取付板をハウジング内に固定し得るようにしたＬＥＤ照明灯を開示するものである。
【先行技術文献】
【特許文献】
【０００４】
【特許文献１】特開２００５−２２２９０３号公報
【特許文献２】特開２００７−１６５０５１号公報
【発明の概要】
【発明が解決しようとする課題】
【０００５】
ところで、上記図６に示した構造では、配線基板ｃの取付，組立に手間が掛かるという問題があると共に、取付基板ａは容易には変形できないので、例えば街路灯設置現場の状況に合わせて個々の配線基板ｃのＬＥＤ素子ｂの照射方向を微調整するようなことができないものであった。また、ＬＥＤ素子ｂ等の発熱により配線基板ｃが高温度になることがあるが、上記構造では該配線基板ｃが取付基板ａから離間しているので、配線基板ｃの放熱が効率的になされないという問題があった。
また、特許文献１に示された可撓性の基板では、取付後にもＬＥＤ素子が振動等により無用に動いてしまうおそれがある。
また、特許文献２に示されたＬＥＤ照明灯は、取付板をハウジング内に固定する構造であるので、ハウジング内に熱がこもるという問題があるほか、ハウジングと取付板とを夫々成形することを要するため部品点数が多くなり組立にも手間を要するので製造コストが掛かるという問題がある。
本発明はこのような課題を解決しようとするものである。
【課題を解決するための手段】
【０００６】
そのために本発明に係るＬＥＤ照明灯は、アルミニウムを押出成形することにより成形された一定長の等断面の本体と、ＬＥＤ素子が実装された配線基板と、透光性の合成樹脂により成形された前記本体と同じ長さの透光性カバー体と、端部蓋体とを備え、前記本体の前面に設けられた基板収容部の相対する壁内面に該本体の長手方向に延びた取付溝をそれぞれ形成し、かつその少なくとも片側の壁内面にはその取付溝を複数条形成し、前記配線基板を該複数条の取付溝のうちのいずれかに入れてスライドさせ装着することで該配線基板の向きを変更し得るようにすると共に、該本体の両側縁部に前記透光性カバー体の両側縁を止着して該透光性カバー体により該本体の前面を覆い、該本体および該透光性カバー体の両端部に前記端部蓋体を被着してなることを特徴とする。
【発明の効果】
【０００７】
本発明のＬＥＤ照明灯は、所要部品点数が少なく、組み立ても容易であるので、製造コストを大幅に軽減できると共に、据付場所の状況に応じてＬＥＤ素子の照射方向を設定でき、照射方向が振動等により無用に変わってしまうおそれがなく、さらには放熱性もよい。
【図面の簡単な説明】
【０００８】
【図１】本発明に係るＬＥＤ照明灯の側面図。
【図２】本発明に係るＬＥＤ照明灯の端面図。
【図３】本発明に係るＬＥＤ照明灯における透光性カバー体の一部を破断して示した正面図。
【図４】図１のＡ−Ａ線断面拡大図。
【図５】本発明の他の実施形態を示したＬＥＤ照明灯の断面拡大図。
【図６】従来のＬＥＤ照明灯の要部の断面図。
【発明を実施するための形態】
【０００９】
次に本発明の実施形態を説明する。図において、１０はアルミニウムを押出成形することにより成形された一定長の等断面の本体で、該本体１０は、図４に示されるように、建物の天井や壁に取り付けられるように背面壁１１が平面状に形成され、該背面壁１１から前方に双璧状に壁部１２，１２を形成することにより基板収容部１３を形成し、該基板収容部の相対する壁内面に該本体の長手方向に延びる一対の取付溝１４，１４と一対の取付溝１５，１５を形成している。また、本体１０の横断面が略逆台形状となるように該壁部１２，１２の外方に三角形状の張出部１６，１６を一体に形成し、該張出部の先端に壁部１２，１２の外側面と相対する壁部１７，１７を形成することにより基板収容部１８，１８を形成し、壁部１２，１２の外側面に該本体の長手方向に延びる取付溝１９，１９を形成し、該取付溝１９，１９と相対する壁部１７，１７の内面に該本体の長手方向に延びる取付溝２１，２１を形成し、該取付溝２１，２１と隣り合うように壁部１７，１７の内面に取付溝２２，２２を形成してなる。また、該壁部１７，１７の外側には縁壁２３，２３を形成することにより蟻溝２４，２４を形成してなる。なお、２５，２５は壁部１２，１２の先端縁に形成された切欠円形状のビス止用溝、２６，２６は背面壁１１に形成された切欠円形状のビス止用溝、２７，２７，２８，２８は縁壁２３，２３の外側面に形成された切欠円形状のビス止用溝である。
【００１０】
３０はＬＥＤ素子の点灯を制御するプリント基板からなる配線基板で、該配線基板の両側縁を取付溝１４，１４中にスライドさせることにより、該配線基板３０を基板収容部１３の奥部に収容している。なお、３１は該配線基板と前記背面壁１１とを接触させることにより該配線基板３０の熱を背面壁１１に熱伝導するために設けられた放熱板である。
【００１１】
また、４０，４１，４１は前面に多数のＬＥＤ素子４２が実装された長方形状のプリント基板からなる配線基板である。配線基板４０は、両側縁を取付溝１５，１５中に入れてスライドさせることにより、基板収容部１３の前面部に装着される。一方、配線基板４１，４１は、片側の側縁を取付溝１９，１９中に入れ、他側の側縁を取付溝２１，２１又は取付溝２２，２２に入れてスライドさせることにより、基板収容部１８，１８に装着する。なお、取付溝２１，２１と取付溝２２，２２とは壁部１７，１７の内面に隣り合うように形成されているので、そのいずれにも入れることができるが、図４に破断線で示したように、取付溝２１，２１に入れるか取付溝２２，２２に入れるかによって、該配線基板４１，４１の向きが変えられる。このため、ＬＥＤ素子４２の照射方向を据付場所の要請に応じて常に適切に設定することができる。
【００１２】
５０はポリカーボネイト等の透光性の合成樹脂により横断面ドーム形に成形された本体１０と同じ長さの透光性カバー体で、該カバー体の両側縁に一体に係合縁５１，５１が形成され、該係合縁を前記蟻溝２４，２４に挿入することにより、本体１０の前面が該透光性カバー体により覆われる。そして、本体１０および該透光性カバー体５０の両端部に端部蓋体６０，６０を被着し、該端部蓋体の外側からビス６１〜６４を前記ビス止用溝２５，２５，２６，２６，２７，２７，２８，２８に螺入することにより該端部蓋体を止着する。
【００１３】
このように本発明に係るＬＥＤ照明灯は、アルミニウムの押出成形品である本体と、ＬＥＤ素子の配線基板と、本体の前面を覆う透光性カバー体と、本体および透光性カバー体の両端部に被着される端部蓋体とから構成され、部品点数が少ないために、成形，組立が容易であり、従来のＬＥＤ照明灯に比して製造コストを大幅に軽減することができる。また、本体に形成した取付溝によって配線基板が支持されるようにしたので、振動等によりＬＥＤ素子の照射方向が無用に変わってしまうようなおそれがないと共に、取付溝を複数条形成したことでＬＥＤ素子の照射方向を据付場所の必要に応じて調整可能になる。さらに、配線基板が本体に直接支持されていると共に、該本体はハウジングを兼ねていて該本体の背面壁が建物の天井や壁に取り付けられるようにしたことから、配線基板の熱が熱伝導性の高いアルミニウムを介して外部に伝達され易く放熱が容易になるので、ＬＥＤ素子等の劣化の原因となる過熱が防止される。
【００１４】
なお、図５は本発明の他の実施形態を示したＬＥＤ照明灯の断面拡大図である。この実施形態に示した本体１０は、下面が開口した横断面箱状に形成され、該開口に板状の透光性カバー体５０が装着されるようにすると共に、該本体１０内に形成した垂下部１２，１２の相対する内面に取付溝１５，１５を形成し、該取付溝１５，１５に両側縁を装入することにより配線基板４０を該本体１０内中央に水平に配設する一方、該垂下部１２，１２の外側対称位置に取付溝１９，１９を形成し、該取付溝１９，１９と相対する本体内面に取付溝２１，２１および該取付溝２１，２１と隣り合う取付溝２２，２２を形成し、一対の配線基板４１，４１の片側の側縁が取付溝１９，１９中に装入され、該各配線基板４１，４１の他側の側縁が取付溝２１，２１又は取付溝２２，２２に装入されるようにしたもので、このように配線基板４０の両側に一対の配線基板４１，４１を内向きに設けることも可能である。
【産業上の利用可能性】
【００１５】
本発明に係るＬＥＤ照明灯は、室内灯，街路灯として、或いは、駅ホーム，地下街などの照明に広く利用することができる。
【符号の説明】
【００１６】
１０                本体
１１                背面壁
１２                壁部
１３                基板収容部
１４，１５          取付溝
１６                張出部
１７                壁部
１８                基板収容部
１９，２１，２２    取付溝
２３                縁壁
２４                蟻溝
３０，４０，４１    配線基板
４２                ＬＥＤ素子
５０                透光性カバー体
５１                係合縁
６０                端部蓋体
【図１】
2011023310.tif 000003
【図２】
2011023310.tif 000004
【図３】
2011023310.tif 000005
【図４】
2011023310.tif 000006
【図５】
2011023310.tif 000007
【図６】
2011023310.tif 000008